(57)【要約】【課題】ボード本体の形状に応じて変形自在な周縁部材を使用することにより、部品点数を削減できるとともに、掲示ボードの製造コストを低減できる掲示ボードを提供する。【解決手段】ホワイトボードはボード本体１２とプロテクタ２０を備える。プロテクタ２０は芯金２２と芯金２２の表面全体を覆うように形成された被覆部材２４からなる。芯金２２は、金属製からなり、その厚みは、外部からの力により変形可能な厚みを有する。被覆部材２４は、熱可塑性樹脂等からなる。被覆部材２４は、外部からの力により、容易に変形可能である。プロテクタ２０は嵌合溝３０にてボード本体１２の周縁に対して嵌合され、接着剤にて接着固定されている。プロテクタ２０の嵌合溝３０を構成する一内側壁には、ボード本体１２に対して弾性的に当接するリップ２５が形成されている。【選択図】        図４
0003108261.tif 000002
【実用新案登録請求の範囲】
【請求項１】
ボード本体の周縁に対して、その周縁に沿うように変形自在な周縁部材が嵌合配置されていることを特徴とする掲示ボード。
【請求項２】
前記ボード本体の周縁は、非直線部分を有し、前記周縁部材は、該非直線部分を覆うように嵌合配置したことを特徴とする請求項１に記載の掲示ボード。
【請求項３】
前記周縁部材は該周縁部材の長手方向に沿って形成された嵌合溝を有し、該嵌合溝を介して前記ボード本体に嵌合されていることを特徴とする請求項１又は請求項２に記載の掲示ボード。
【請求項４】
前記嵌合溝を形成する内側面には、該嵌合溝の底部に向かうとともに、ボード本体に当接するリップが形成されていることを特徴とする請求項３に記載の掲示ボード。
【請求項５】
前記周縁部材は、単一の部材にてボード本体の全周縁を覆うように配置したことを特徴とする請求項１乃至請求項４のうちいずれか１項に記載の掲示ボード。
【請求項６】
前記ボード本体は、磁石が吸着可能な金属板にて形成されていることを特徴とする請求項１乃至請求項５のうちいずれか１項に記載の掲示ボード。
【請求項７】
前記周縁部材は、可撓性の芯金と該芯金を覆う被覆部材を含むことを特徴とする請求項１乃至請求項６のうちいずれか１項に記載の掲示ボード。
【考案の詳細な説明】
【技術分野】
【０００１】
本考案は、ボード本体の周縁に枠状の周縁部材が設けられた掲示ボードに関する。
【背景技術】
【０００２】
従来から、ホワイトボード等の掲示ボードは、ボード本体の周縁に枠状の周縁部材が配置されている。例えば、四角板状のボード本体の場合には、各辺には、その辺の長さに応じてそれぞれ長尺の周縁部材が嵌合配置され、各コーナには、コーナのアールに応じて形成されたコーナ用の周縁部材が、嵌合配置されている。
【考案の開示】
【考案が解決しようとする課題】
【０００３】
ところで、ホワイトボードの大きさが異なる場合、例えば、四角板状のボード本体を有するホワイトボードの場合、ボード本体の辺の長さに応じて異なる長さの周縁部材を用意するとともに、コーナのアールの大きさに応じたコーナー用の周縁部材を用意する必要がある。この場合、周縁部材が合成樹脂製の場合、それぞれの長さや大きさに合わせた金型を作成する必要がある。このため、従来は、異なる大きさのホワイトボードを製造する場合、部品点数が増えると共に、種々の大きさの周縁部材を用意する必要があり、製造コストが高くなる問題があった。
【０００４】
又、円形状や、楕円形状等の種々のボード本体に周縁部材を用意する場合、異なる形状のボード本体用に、それぞれ異なる大きさ、或いは、ボード本体の外形形状に合わせた周縁部材を製作する必要がある。この場合、周縁部材を合成脂製にする場合には、金型費のコストがかかる問題がある。又、周縁部材を木製や、金属製にしたとしても、同様に、ボード本体の形状に合わせ周縁部材を製造する必要があるため、コストアップとなる問題があった。
【０００５】
本考案の目的は、ボード本体の外形形状に応じて変形自在な周縁部材を使用することにより、周縁部材の部品点数を削減できるとともに、掲示ボードの製造コストを低減できる掲示ボードを提供することにある。
【課題を解決するための手段】
【０００６】
上記問題点を解決するために請求項１の考案は、ボード本体の周縁に対して、その周縁に沿うように変形自在な周縁部材が嵌合配置されていることを特徴とする掲示ボードを要旨とするものである。
【０００７】
請求項２の考案は、請求項１において、前記ボード本体の周縁は、非直線部分を有し、前記周縁部材は、該非直線部分を覆うように嵌合配置したことを特徴とする。
請求項３の考案は、請求項１又は請求項２において、前記周縁部材は該周縁部材の長手方向に沿って形成された嵌合溝を有し、該嵌合溝を介して前記ボード本体に嵌合されていることを特徴とする。
【０００８】
請求項４の考案は、請求項３において、前記嵌合溝を形成する内側面には、該嵌合溝の底部に向かうとともに、ボード本体に当接するリップが形成されていることを特徴とする。
【０００９】
請求項５の考案は、請求項１乃至請求項４のうちいずれか１項において、前記周縁部材は、単一の部材にてボード本体の全周縁を覆うように配置したことを特徴とする。
請求項６の考案は、請求項１乃至請求項５のうちいずれか１項において、前記ボード本体は、磁石が吸着可能な金属板にて形成されていることを特徴とする。
【００１０】
請求項７の考案は、請求項１乃至請求項６のうちいずれか１項において、前記周縁部材は、可撓性の芯金と該芯金を覆う被覆部材を含むことを特徴とする。
【考案の効果】
【００１１】
請求項１の考案によれば、周縁部材が変形自在であるため、ボード本体の形状の如何にかかわらず、容易に、周縁部材をボード本体に対して取着することができる。この結果、掲示ボードの製作が簡単であり、周縁部材の部品点数を少なくでき、製造コストを低減することができる。例えば、ボード本体の大きさが異なれば、その大きさに応じた周縁部材を用意する必要があるが、従来は、ボード本体の大きさが異なると、例えば、四角形状のボード本体の場合、コーナー部のアールが異なると、それに合わせた周縁部材を用意するために、周縁部材が例えば、合成樹脂製の場合、新たに金型を製作する必要がある。それに対して、請求項１の発明によれば、例えば異なる大きさのボード本体であって、コーナのアールが異なっても、変形自在であるため、異なる大きさのボード本体に対して、その周縁（アール部分）に対しても嵌合配置することができ、製造コストを低減できる。
【００１２】
請求項２の考案によれば、変形自在な周縁部材はボード本体の非直線部分の周縁に対しても、容易に、その非直線部分の形状に沿って嵌合することができる。
請求項３の考案によれば、周縁部材をボード本体に対して組み付けする際、嵌合溝を介してボード本体の周縁部に対して嵌合するだけで、変形自在な周縁部材をボード本体の形状に対して沿わせることができる。
【００１３】
請求項４の考案によれば、ボード本体に当接するリップがあることにより、ボード本体の周縁部が嵌合溝に嵌合した際に、周縁部材のボード本体からの抜け防止を図ることができる。
【００１４】
請求項５の考案によれば、周縁部材をボード本体の全周縁に対して、１つ（単一）の部材で、覆うことができ、部品点数を少なくできる。
請求項６の考案によれば、金属板からなるボード本体を有する掲示ボードに対しても、請求項１乃至請求項４の効果を実現できる。
【００１５】
請求項７の考案によれば、芯金入りであることから芯金なしで形成されたものよりも剛性を有して丈夫である。
【考案を実施するための最良の形態】
【００１６】
本考案の掲示ボードをホワイトボードＷＢに具体化した一実施形態を説明する。図１に示すように、ホワイトボードＷＢは、ボード本体１２と、周縁部材としてのプロテクタ２０とを備えている。ボード本体１２は、略四角板状に形成されている。ボード本体１２のコーナ１２ａ〜１２ｄは、アールを有した非直線部分とされている。
【００１７】
ボード本体１２の内部は強磁性を有する金属（例えば、鉄）にて形成されており、表面には、合成樹脂製の膜にて覆われている。この結果、ボード本体１２には磁石が吸着可能である。なお、ボード本体１２の内部は、透磁性の金属（例えば、ニッケル）で形成し、ボード本体１２の裏面側には強磁性の金属板を設けても良い。ボード本体１２の表面は、図示しないホワイトボード用のペンにより、図や文字が書き込み可能とされており、又、図示しないイレーザで、前記ペンにて書き込まれた図や文字を消去可能である。
【００１８】
ボード本体１２の周縁は、プロテクタ２０が嵌合されている。プロテクタ２０は、図４（ａ）に示すように、芯金２２と、芯金２２の表面全体を覆うように形成された被覆部材２４からなる。芯金２２は、金属製（例えば、アルミニウム製や、ＳＵＳ製）からなり、その厚みは、外部からの力により変形可能な厚みを有している。すなわち、芯金２２は、可撓性を備えている。
【００１９】
被覆部材２４は、熱可塑性樹脂であるＰＶＣ系材料や、或いはＥＰＤＭ系材料などのゴムや、熱可塑性エラストマからなる。これらの材料のいずれかからなる被覆部材２４は、外部からの力により、容易に変形可能である。又、プロテクタ２０（芯金２２及びその被覆部材２４）は、図４（ａ）に示すように断面Ｕ字状に形成されていることにより、嵌合溝３０が形成されている。又、芯金２２は、断面がＵ字状に形成されて、連結部２３ａを介して表側の側壁２３ｂと裏側の側壁２３ｃとを備える。そして、プロテクタ２０は嵌合溝３０にてボード本体１２の周縁に対して嵌合され、図示しない接着剤にて接着固定されている。
【００２０】
又、図４（ｂ）に示すように、ボード本体１２の周縁にプロテクタ２０が、嵌合された際、被覆部材２４の嵌合溝３０の開口部付近の内側面が、ボード本体１２に対して当接される。本実施形態では、単一のプロテクタ２０がボード本体１２の全周縁に対して嵌合溝３０を介して嵌合取着されている。図１において、Ａで示す部分は、プロテクタ２０の始端と終端の位置を示している。始端及び終端は、互いに当接するように配置されている。プロテクタ２０の嵌合溝３０を構成する一内側面には、リップ２５が形成されている。リップ２５は、プロテクタ２０の長手方向に沿って延出されるとともに、その先端が図４（ａ）に示すように、嵌合溝３０の底部に向かうように配置されている。プロテクタ２０をボード本体１２に取着した際に、リップ２５がボード本体１２に弾性的に当接することにより、プロテクタ２０のボード本体１２からの離脱の防止（抜け防止）が図られるようにされている。
【００２１】
さて、上記のように構成されたホワイトボードＷＢの作用を説明する。
（１）  本施形態では、プロテクタ２０が変形自在であるため、アールを有するボード本体１２のコーナ１２ａ〜１２ｄ（非直線部分）に対して、その形状に沿って、容易にプロテクタ２０をボード本体１２に対して嵌合することができる。
【００２２】
（２）  本実施形態によれば、プロテクタ２０をボード本体１２に対して組み付けする際、嵌合溝３０を介してボード本体１２の周縁に対して嵌合するだけで、変形自在なプロテクタ２０をボード本体１２の形状に対して沿わせることができる。
【００２３】
（３）  本実施形態では、リップ２５を設けて、ボード本体１２の周縁部が嵌合溝３０に嵌合した際に、リップ２５が、ボード本体１２に弾性的に当接することにより、プロテクタ２０のボード本体１２からの抜け防止を図ることができる。
【００２４】
（４）  本実施形態では、プロテクタ２０をボード本体１２の全周縁に対して、１つ（単一）の部材で、覆うことができ、部品点数を少なくできる。
（５）  本実施形態では、プロテクタ２０を芯金入りとしているため、芯金なしで形成されたプロテクタよりも剛性を有して丈夫である。
【００２５】
（第２実施形態）
次に、図２を参照して、第２実施形態を説明する。なお、説明の便宜上、図２おいて、上方を上とし、下方を下とし、左方を左として、右方を右とする。第２実施形態は、ホワイトボードＷＢのボード本体１２がハート形状に形成されている。ボード本体１２において、非直線部分は、上部部分の周縁とされている。又、ボード本体１２において、直線部分は、下部部分の周縁とされている。又、プロテクタ２０（図２においては、２０Ａ，２０Ｂでそれぞれ図示）は、図２に示すように２個使用されている。プロテクタ２０（２０Ａ，２０Ｂ）の断面形状は、第１実施形態と同様の構成であるため、説明を省略する。
【００２６】
そして、第２実施形態では、図２において、中心線Ｌにおいて線対称であるハート形状の右側と左側のそれぞれのボード本体１２の形状に沿って、各プロテクタ２０（２０Ａ，２０Ｂ）が嵌合溝３０を介して、ボード本体１２に対して嵌合されている。又、図２において、両プロテクタ２０（２０Ａ，２０Ｂ）の端部同士は線対象の中心線Ｌ上のＢ，Ｃで示す位置で当接するように配置されている。
【００２７】
このように、第２実施形態は、変形自在である一対のプロテクタ２０（２０Ａ，２０Ｂ）を使用することにより、非直線部分である外形形状に沿って両プロテクタ２０を容易に沿わせて配置することができる。この結果、非直線部分に対応するように、プロテクタを製造する必要はなくなる。又、直線部分においても、両プロテクタ２０を容易に沿わせて配置することができる。
【００２８】
（第３実施形態）
次に、図３を参照して、第３実施形態を説明する。なお、説明の便宜上、図３おいて、上方を上とし、下方を下とし、左方を左として、右方を右とする。第３実施形態は、ホワイトボードＷＢのボード本体１２が三日月形状に形成されている。このように三日月形状にボード本体１２を形成した場合、ボード本体１２において、左部分の周縁（以下、左縁部という）及び右側の周縁（以下、右縁部という）がそれぞれ非直線部分とされている。又、プロテクタ２０（図３においては、２０Ｃ，２０Ｄでそれぞれ図示）は、図３に示すように２個使用されている。プロテクタ２０（２０Ｃ，２０Ｄ）の断面形状は、第１実施形態と同様の構成であるため、説明を省略する。
【００２９】
そして、第３実施形態では、左縁部と右縁部のそれぞれの形状に沿って、各プロテクタ２０（２０Ｃ，２０Ｄ）が嵌合溝３０を介して、ボード本体１２に対して嵌合取着されている。又、図３において、両プロテクタ２０（２０Ｃ，２０Ｄ）の端部同士は、ボード本体１２の上端及び下端において、Ｄ，Ｅで示す位置で当接するように配置されている。
【００３０】
このように、第３実施形態は、変形自在である一対のプロテクタ２０（２０Ｃ，２０Ｄ）を使用することにより、非直線部分である外形形状に沿って両プロテクタ２０を容易に沿わせて配置することができる。この結果、非直線部分に対応するように、プロテクタを製造する必要はなくなる。
【００３１】
なお、本考案の実施形態は以下のように変更してもよい。
○  前記各実施形態では、リップ２５を１つとしたが、図４（ａ）の二点鎖線で示すように、嵌合溝３０において、リップ２５とは反対側の内側面にさらに、設けてもよい。或いは、さらに複数のリップを嵌合溝３０の内側面に対して設けても良い。
【００３２】
○  プロテクタ２０は、芯金無しで形成してもよい。
○  第２実施形態、第３実施形態では、プロテクタ２０は２個使用したが、プロテクタ２０の数を限定する必要はない。要は、掲示ボードの外形形状に合わせればよい。
【００３３】
○  ボード本体１２の形状は、前記実施形態で示した形状に限定するものではなく、どのような形状であってもよい。例えば下記の形状でもよい。
円形、三角、卵形、リンゴ形、ピーマン形、果物、野菜等の形状、或いは、有名な建造物の外形、人の形状。
【図面の簡単な説明】
【００３４】
【図１】本発明を具体化した一実施形態のホワイトボードの正面図。
【図２】他の実施形態のホワイトボードの正面図。
【図３】他の実施形態のホワイトボードの正面図。
【図４】（ａ）は、周縁部材の断面図、（ｂ）は、周縁部材をボード本体に取着した状態の断面図。
【符号の説明】
【００３５】
ＷＢ…ホワイトボード
１２…ボード本体
２０…プロテクタ（周縁部材）
２４…被覆部材
２５…リップ
【図１】
0003108261.tif 000003
【図２】
0003108261.tif 000004
【図３】
0003108261.tif 000005
【図４】
0003108261.tif 000006